(57)【要約】【課題】  おむつカバーを立体的縫製によってつなぎ合わせることによって、股当て部を股間領域にぴったりフィットさせて尿漏れを防止し、外観的にも装着感を感じさせないおむつカバーを提供する。【解決手段】  腰の後ろ側を被覆する腰当て部１と、その腰当て部１から前方に延びる股当て部４と、その股当て部４からさらに前方に延びる前当て部５と、前記腰当て部１の左右に延びる腰回り部２とを有し、前記左右の腰回り部２を後方から前方に回して腰回りを締め、その左右に回した腰回り部２と、前方に回した前当て部５を止着して装着するおむつカバーにおいて、股当て部４を縦方向に伸縮自在の布地で構成し、その股当て部４をおむつカバーの装着時に股間領域の下側に当接する構成とした。【選択図】        図１
2005111120.tif 000002
【特許請求の範囲】
【請求項１】
腰の後ろ側を被覆する腰当て部と、その腰当て部から前方に延びる股当て部と、その股当て部からさらに前方に延びる前当て部と、前記腰当て部の左右に延びる腰回り部とを有し、前記左右の腰回り部を後方から前方に回して腰回りを締め、その左右に回した腰回り部と、前方に回した前当て部を止着して装着するおむつカバーにおいて、
股当て部を縦方向に伸縮自在の布地で構成し、その股当て部をおむつカバーの装着時に股間領域の下側に当接する構成としたことを特徴とするおむつカバー。
【請求項２】
前記腰当て部、股当て部、前当て部をそれぞれ別々に裁断し、腰回り部及び前当て部を横伸び材で構成し、股当て部を縦伸び材で構成し、それらをつなぎ合わせることによって、一連のおむつカバーを形成し、それぞれのつなぎラインを立体的に接続して、腰当て部から股当て部を通って前当て部へ、身体のラインに沿ってスムーズに折り曲がるように構成し、さらに、おむつカバーの装着時には股当て部が股間領域の下側に当接する構成としたことを特徴とする請求項１記載のおむつカバー。
【請求項３】
腰の後ろ側を被覆する腰当て部と、その腰当て部から前方に延びる股当て部と、その股当て部からさらに前方に延びる前当て部と、前記腰当て部の左右に延びる腰回り部とを有し、前記左右の腰回り部を後方から前方に回して腰回りを締め、その左右に回した腰回り部と、前方に回した前当て部を止着して装着するおむつカバーにおいて、
腰回り部の腰の側面に位置する部位に、前当て部の両縁の雄面ファスナーが止着する被止着部を形成し、
その被止着部の上部及び下部を後方側へ広く確保し、体位に合わせて胴回りの径及び足回りの径を絞り込み可能としたことを特徴とするおむつカバー。
【請求項４】
腰の後ろ側を被覆する腰当て部と、その腰当て部から前方に延びる股当て部と、その股当て部からさらに前方に延びる前当て部と、前記腰当て部の左右に延びる腰回り部とを有し、前記左右の腰回り部を後方から前方に回して腰回りを締め、その左右に回した腰回り部と、前方に回した前当て部を止着して装着するおむつカバーにおいて、
腰当て部から股当て部を通って前当て部にかけてその外側にトランクスを展開した飾り布を取り付け、装着した場合には外観がトランクス仕様となることを特徴とするおむつカバー。
【発明の詳細な説明】
【技術分野】
【０００１】
本発明はおむつカバーに関するものである。
【背景技術】
【０００２】
従来より、幼児、高齢者、病人、身体障害者用として、中に吸水性シートを収容したおむつカバー、使い捨てのおむつや布おむつ等が使用されている。
このようなおむつカバーの一例として、図７の展開図に示すように、おむつカバーは全体としてほぼＴ字状を呈している。そしてこのおむつカバーの構成は、本体部５０と、該本体部５０の上部両側方からそれぞれ延び、腰部、腹部を押さえる翼状の止着片５１とを備えている。この本体部５０は、その上部に形成された腰当て部５２と、前記腰当て部から垂下するように該腰当て部に連設された股当て部５３と、この股当て部から一体に垂下設された前当て部５４とから構成されている。
【０００３】
おむつカバーを装着する際には、使用者の腰の後ろ側に腰当て部５２をあてがい、前当て部５４を使用者の下腹部の前面を覆うようして前方に回し、そして、側方から回した腰回り部の止着片５１を重ね合わせて止着し、その上から前当て部５４を合わせて面ファスナー５５で止着する。このようにして装着したおむつカバーは、使用者のおむつの外側を覆って、尿等が外部に漏れることを防止する。
【０００４】
そして、このようなおむつカバーに関する技術として特開２００３−１９０２１３号公報記載の技術が知られている。
【特許文献１】特開２００３−１９０２１３号公報
【発明の開示】
【発明が解決しようとする課題】
【０００５】
ところで、これらのおむつカバーは、便や尿漏れを防ぎ、内部が蒸れないこと、運動の妨げにならないこと、着用感がよいこと、軽量であること等の条件を備えることが必要である。そして、おむつの使用者にとっては、柔軟で肌触りがよいことが求められる一方、おむつの外側を覆って、尿等が外部に漏れることを防止するものであるため、おむつのずれを防止して確実に装着するものでなければならない。
この尿漏れを防止するために、従来より股当て部の縁で足の付け根回りを締め付け、密着させて尿漏れを防止する構成が採用されている。
しかしながら、足の付け根回りを締め付ける構成では、頚動脈を圧迫して血行を阻害し、また、締め付け部が擦れて擦り傷が生じるという問題があった。
また、従来のおむつカバーは腰当て部、股当て部、前当て部が一枚布によって構成されているために、身体にぴったりとフィットさせることが難しく、図８に示すように、股間領域を覆う股当て部５３が下方に垂れ下がって膨らみ、装着感がはっきりと認識されるという問題があった。
【０００６】
本発明はかかる従来の問題点を解決するためになされたものであって、その目的とするところは、おむつカバーを立体的縫製によってつなぎ合わせることによって、股当て部を股間領域にぴったりフィットさせて尿漏れを防止し、外観的にも装着感を感じさせないおむつカバーを提供することにある。
【課題を解決するための手段】
【０００７】
前記目的を達成するための手段として、請求項１記載のおむつカバーでは、腰の後ろ側を被覆する腰当て部と、その腰当て部から前方に延びる股当て部と、その股当て部からさらに前方に延びる前当て部と、前記腰当て部の左右に延びる腰回り部とを有し、前記左右の腰回り部を後方から前方に回して腰回りを締め、その左右に回した腰回り部と、前方に回した前当て部を止着して装着するおむつカバーにおいて、股当て部を縦方向に伸縮可能の布地で構成し、その股当て部をおむつカバーの装着時に股間領域の下側に当接する構成とした。
【０００８】
請求項２記載のおむつカバーでは、前記腰当て部、股当て部、前当て部をそれぞれ別々に裁断し、腰回り部及び前当て部を横伸び材で構成し、股当て部を縦伸び材で構成し、それらをつなぎ合わせることによって、一連のおむつカバーを形成し、それぞれのつなぎラインを立体的に接続して、腰当て部から股当て部を通って前当て部へ、身体のラインに沿ってスムーズに折り曲がるように構成し、さらに、おむつカバーの装着時には股当て部が股間領域の下側に当接する構成とした。
【０００９】
請求項３記載のおむつカバーでは、腰の後ろ側を被覆する腰当て部と、その腰当て部から前方に延びる股当て部と、その股当て部からさらに前方に延びる前当て部と、前記腰当て部の左右に延びる腰回り部とを有し、前記左右の腰回り部を後方から前方に回して腰回りを締め、その左右に回した腰回り部と、前方に回した前当て部を止着して装着するおむつカバーにおいて、腰回り部の腰の側面に位置する部位に、前当て部の両縁の雄面ファスナーが止着する被止着部を形成し、その被止着部の上部及び下部を後方側へ広く確保し、体位に合わせて締め付け可能とした。
【００１０】
請求項４記載のおむつカバーでは、腰の後ろ側を被覆する腰当て部と、その腰当て部から前方に延びる股当て部と、その股当て部からさらに前方に延びる前当て部と、前記腰当て部の左右に延びる腰回り部とを有し、前記左右の腰回り部を後方から前方に回して腰回りを締め、その左右に回した腰回り部と、前方に回した前当て部を止着して装着するおむつカバーにおいて、腰当て部から股当て部を通って前当て部にかけてその外側にトランクスを展開した飾り布を取り付け、装着した場合には外観がトランクス仕様となる。
【発明の効果】
【００１１】
請求項１記載のおむつカバーでは、股当て部を縦方向に伸縮可能の布地で構成したので、体位の変化に柔軟に伸縮して尿漏れを防止する。
また、股当て部をおむつカバーの装着時に股間領域の下側に当接する構成としたので、従来下方に膨らみが生じておむつカバーの装着感が一目瞭然であったところ、装着感を感じさせないおむつカバーが構成される。
【００１２】
請求項２記載のおむつカバーでは、腰回り部及び前当て部を横伸び材で構成したので、着座時の尻部の横方向への伸びに対応する。また、股当て部を縦伸び材で構成したので、前後動の体位の伸びに対応する。
【００１３】
請求項３記載のおむつカバーでは、腰回り部の腰の側面に位置する部位に、前当て部の両縁の雄面ファスナーが止着する被止着部を形成し、その被止着部の上部及び下部を後方側へ広く確保したので、体位に合わせて締め付けが可能となる。
【００１４】
請求項４記載のおむつカバーでは、腰当て部から股当て部を通って前当て部にかけてその外側にトランクスを展開した飾り布を取り付け、装着した場合には外観がトランクス仕様となるので、外観的におむつカバーの装着感を感じさせない。
【発明を実施するための最良の形態】
【００１５】
以下、図面に基づいて本発明のおむつカバーの止着構造を実現する最良の形態を説明する。
【実施例１】
【００１６】
図１は第１実施例に係るおむつカバーの展開図、図２は同おむつカバーの立体説明図、図３は同装着時の側面図である。
第１実施例に係るおむつカバーは図１に示すように、展開状態において、全体がほぼＴ字状を呈しており、その本体の中央付近に位置する腰当て部１と、この腰当て部の両サイドからそれぞれ翼状に延びるように、この腰当て部１に連設された左右の腰回り部２と、
その腰回り部に連結されて左右に延びる被止着部３と、前記腰当て部１から垂下して連結された股当て部４と、この股当て部４からさらに垂下連結された前当て部５とを備えている。
【００１７】
腰当て部１は、使用者がおむつカバーを装着する際にほぼその腰のあたりに接するようになっている。股当て部４は腰部に続く股間領域を覆う部分である。前当て部５は、股間に続く下腹部から、ウエストあたりまでを覆うようになっており、その両サイドは股当て部からやや拡幅している。
【００１８】
これら腰当て部１、股当て部４、前当て部５からなる本体は、おむつを包囲する被覆布部を構成している。装着時に腰の側面に位置する被止着部３は起毛面からなる雌面ファスナーによって構成され、この被止着部３は前当て部５の両縁の雄面ファスナー６が止着する部位となっている。
その被止着部の上部７及び下部８は後方側へ広く確保され、腰の側面から見ると（図３参照）、被止着部３は本体と弓状に湾曲した湾曲ラインに沿ってつなぎ合わされ、腰の上部７及び下部８は後退した形状となっている。
したがって、前当て部の止着縁（面ファスナー６）は奥まで止着が可能となり、体に合わせて、奥まで体位に合わせて締め付けが可能となる。すなわち、胴回りまたは足の回りの径が細い場合は深く止着し、太い場合は浅く止着し、体位に合わせて胴回りの径と、足回りの径を調整可能となっている。
【００１９】
本実施例のおむつカバーは腰当て部１、股当て部４、前当て部５をそれぞれ別々に裁断し、それらをつなぎ合わせることによって、一連のおむつカバーを形成している。
図１に示すように、腰当て部１及び前当て部５と、股当て部４との連結ライン９はそれぞれ円弧状に切り欠かれ、その円弧ライン９に合わせて、股当て部４がつなぎ合わされている。
そして、これらの、腰当て部１、股当て部４、前当て部５との縫製は平面的縫製ではなく、立体縫製によってつなぎ合わされ、円弧ライン９からそれぞれ内側に折れ曲がるように縫着されている。
したがって、装着時には図２に示すように、腰当て部１の下部から、股当て部４が水平方向に股間領域に密着した状態で折れ曲がり、股当て部４の先端から前当て部５が上方向に折り曲がるようになる。すなわち、股当て部４は円弧ライン９に沿って山形に盛り上がった状態で、前後に延び、腰当て部１から股当て部４を通って前当て部５へ、身体のラインに沿ってスムーズに折り曲がるように構成され、おむつカバーの装着時には股当て部４が股間領域の下側に当接するようになっている。
従来のおむつカバーでは本体が一枚の連続布によって構成されていたため、装着時には股間領域の下部が膨らんでいたところ、これらを別々に裁断して立体的縫製により、股間領域に当接（フィット）するようになり、見た目にもおむつカバーを装着していることを感じさせない。
【００２０】
また、股当て部は４縦伸縮比（図中Ｙ方向）の大きい素材が使用され、一方、腰当て部１及び前当て部５は横伸縮比（図中Ｘ方向）の大きい素材が使用されている。
この布地を使用することにより、横伸び、縦伸びが可能となり、着座時の尻部の横方向への伸びに対応し、股当て部を縦伸び材で構成したので、前後動の体位の伸びに対応する。
【００２１】
おむつカバーを装着する際には、使用者の腰の後ろ側に腰当て部１をあてがい、両翼の腰回り部２を左右から前方に回し、その先端部分の止着片をつなぎ合わせ、一方、前当て部５を使用者の下腹部の前面を覆うようして前方に回し、前当て部５の両縁裏の雄面ファスナー６を腰回り部の被止着部３に接着させて装着する。
ここで、被止着部３の上部７及び下部８は後方側へ広く確保されているので、胴回りまたは足の回りの径に応じて、絞りを深くまたは浅く調整することができる。
装着後は、腰当て部１、股当て部４、前当て部５を別々に裁断して立体的縫製していることにより、股当て部４が股間領域に当接（フィット）するようになり、見た目にもおむつカバーを装着していることを感じさせない。
さらに、横延び材、縦延び材を組み合わせていることにより、おむつカバーが体位の動きに柔軟に対応する。
【実施例２】
【００２２】
第２実施例に係るおむつカバーは、第１実施例のおむつカバーにおいて、本体の外側にトランクス仕様の飾り布を取り付けた構成である。
第２実施例に係るおむつカバーは図４〜６に示すように、展開状態において、全体がほぼＴ字状を呈しており、その本体の中央付近に位置する腰当て部１と、この腰当て部１の両サイドからそれぞれ翼状に延びるように、この腰当て部に連設された左右の腰回り部２と、上記腰当て部１から垂下して連結された股当て部４と、この股当て部４からさらに垂下連結された前当て部５と、本体外側のトランクス仕様の飾り布１１を備えている。
【００２３】
前記飾り布１１は、一般的なトランクスを腰の側部を縦に切断して展開したものであり、トランクスの股当て部に相当する部分が前後を連結して展開した状態となっている。そして、内部におむつカバーを収容した状態で、外側を覆うように、取り付けられている。
すなわち、トランクスの腰回り部、前当て部、前当て部のそれぞれ相応する位置に、おむつカバーを位置させ、トランクスの内側におむつカバーを入れ込み、二つ折り（身体に装着した状態）して、外側（トランクス）の中におむつカバーを収容した状態としている。
【００２４】
おむつカバーを装着する際には、使用者の腰の後ろ側に腰当て部１をあてがい、両翼の腰回り部２を左右から前方に回し、その先端部分の止着片をつなぎ合わせ、一方、前当て部５を使用者の下腹部の前面を覆うようして前方に回し、前当て部５の両縁裏の雄面ファスナーを腰回り部の表面に接着させて装着する。
すると、装着時には内部はおむつカバー、外観はトランクス仕様となり（図６参照）、前記第１実施例の効果に加えて、外観的にもおむつカバーを装着していることを感じさせない。
【００２５】
以上、本発明の実施例を説明したが、具体的な構成は前記実施例に限定されるものではなく、発明の要旨を逸脱しない範囲の設計変更等があっても本発明に含まれる。
【図面の簡単な説明】
【００２６】
【図１】第１実施例に係るおむつカバーの展開図である。
【図２】同装着時の立体的構造を示す説明図である。
【図３】同装着時の側面図である。
【図４】第２実施例に係るおむつカバーの展開図である。
【図５】同止着片を広げた状態の展開図である。
【図６】同装着時の斜視図である。
【図７】従来例に係るおむつカバーの展開図である。
【図８】従来例に係るおむつカバーの装着時の正面図である。
【符号の説明】
【００２７】
１  腰当て部
２  腰回り部
３  被止着部
４  股当て部
５  前当て部
６  雄面ファスナー
７  上部
８  下部
１１  飾り布
【図１】
2005111120.tif 000003
【図２】
2005111120.tif 000004
【図３】
2005111120.tif 000005
【図４】
2005111120.tif 000006
【図５】
2005111120.tif 000007
【図６】
2005111120.tif 000008
【図７】
2005111120.tif 000009
【図８】
2005111120.tif 000010